(57)【要約】【課題】受信可能なチャンネルを自動的に追加登録する機能を有する放送受信装置において、ユーザの好みでないチャンネルを追加登録しないようにできる放送受信装置を提供する。【解決手段】放送受信装置１は、受信可能なチャネルを自動的に追加登録するチャンネル自動追加手段１５１と、入力手段１４から受信可能なチャンネルとしての登録を解除するように指令されたチャンネルについて登録を解除すると共に、当該チャンネルのチャンネル情報を登録解除されたチャンネルの情報として記憶手段１５４２に記憶処理するチャンネル登録解除手段１５１と、を備える。チャンネル自動追加手段１５１は、記憶手段１５４２に記憶されたチャンネル情報の中に新たに検知されたチャンネル情報と同一の情報がある場合には、新たに検知されたチャンネルを受信可能なチャンネルとして登録しない。【選択図】図１
2010062884.tif 000002
【特許請求の範囲】
【請求項１】
放送信号を受信する受信手段と、
受信可能な未登録のチャンネルが検知された場合に、当該チャンネルを受信可能なチャネルとして自動的に追加登録するチャンネル自動追加手段と、を備える放送受信装置において、
ユーザからの指令を入力する入力手段と、
前記入力手段から受信可能なチャンネルとしての登録を解除するように指令されたチャンネルについて登録を解除すると共に、当該チャンネルのチャンネル情報を、登録解除されたチャンネルの情報として記憶手段に記憶処理するチャンネル登録解除手段と、を備え、
前記チャンネル自動追加手段は、前記記憶手段に記憶される前記チャンネル情報の中に前記未登録のチャンネルと同一のチャンネル情報がある場合には、前記未登録のチャンネルを受信可能なチャンネルとして登録しないことを特徴とする放送受信装置。
【請求項２】
前記受信手段を用いて受信可能なチャンネルのサーチを実行するチャンネルサーチ手段が更に備えられ、
前記チャンネルサーチの実行に伴って、前記チャンネル自動追加手段の処理が実行されることを特徴とする請求項１に記載の放送受信装置。
【請求項３】
前記チャンネルサーチ手段によるチャンネルサーチは、所定のタイミングで自動的に実行されることを特徴とする請求項２に記載の放送受信装置。
【請求項４】
前記放送信号はデジタル放送信号であって、
前記チャンネル情報は、チャンネル毎に放送局によって与えられる固有の識別情報であることを特徴とする請求項１から３のいずれかに記載の放送受信装置。
【発明の詳細な説明】
【技術分野】
【０００１】
本発明は、放送信号の受信を行う放送受信装置に関し、詳細には、受信可能な未登録のチャンネルが検知された場合に、当該チャンネルを受信可能なチャネルとして自動的に追加登録する機能を有する放送受信装置の構成に関する。
【背景技術】
【０００２】
従来、テレビジョン受信機やＤＶＤレコーダ等の録画機器には、放送信号の受信を行う放送受信装置が備えられる。そして、このような放送受信装置の構成として、従来様々な提案がなされている（例えば、特許文献１〜５参照）。
【０００３】
デジタル放送を受信する放送受信装置について説明すると、放送受信装置は、アンテナを通して受け取った複数の放送波の中から任意に放送波をチューナによって選択する。そして、選択した任意の放送波に含まれる１つ又は複数のチャンネル（サブチャンネルと呼ばれることがある）から任意のチャンネルをデマルチプレクス処理によって選択し、この選択したチャンネルのデジタル信号を取り出して、これをデコードすることによって映像信号及び音声信号を出力する。
【０００４】
このような放送受信装置を設置する場合、通常、イニシャル設定として初期のチャンネルサーチを実行し、受信可能なチャンネルをチャンネル登録することが行われる。また、イニシャル設定を行った後においても、新たな放送局の開局や新中継局の設置、あるいは放送周波数の変更等に対応するために、スタンバイ時等の非視聴時を利用して、度々自動チャンネルサーチを行い、チャンネル登録の更新を行うのが好ましいとされる（例えば特許文献１参照）。そして、このような自動チャンネルサーチ機能を備える放送受信装置には、例えば先に登録しているチャンネルとは異なるチャンネルを検知すると、その検知したチャンネルを自動的に追加登録するものがある。
【特許文献１】特開２００４−１８６９７５号公報
【特許文献２】特開２００８−０９９０２８号公報
【特許文献３】特開２００７−０８８５７８号公報
【特許文献４】特開２００４−３２０３９７号公報
【特許文献５】特開２００３−１９８９６５号公報
【発明の開示】
【発明が解決しようとする課題】
【０００５】
しかしながら、上述のようなチャンネルを自動的に追加登録する機能を備える放送受信装置には、次のような問題があることがわかった。これについて以下説明する。
【０００６】
チャンネルを自動的に追加登録する機能によって追加されるチャンネルには、例えば受信感度が悪い（受信されているものの、表示される映像品質等が悪い）ものがある。このような受信感度が悪いチャンネルが追加登録された場合、ユーザによってはこのようなチャンネルの追加を不快に感じ、追加登録されたチャンネルの登録を解除する場合がある。また、その他、ユーザの好みでないチャンネルが自動的に追加登録された場合にも、ユーザによっては、追加登録されたチャンネルの登録を解除する場合がある。
【０００７】
しかし、上述のようにチャンネルの自動追加登録は、スタンバイ時等の非視聴時を利用して度々行うのが好ましいものであり、このような構成の場合、ユーザが一度登録を解除したチャンネルについて、再度自動追加されてしまう。このため、本来は、ユーザがチャンネル登録して欲しくないチャンネルについて、登録を解除しても再び追加登録されることになり、ユーザが不便に感じていた。
【０００８】
そこで、本発明の目的は、チャンネルを自動的に追加登録する機能を有する放送受信装置において、ユーザの好みでないチャンネルを追加登録しないようにできる放送受信装置を提供することである。
【課題を解決するための手段】
【０００９】
上記目的を達成するために本発明は、放送信号を受信する受信手段と、受信可能な未登録のチャンネルが検知された場合に、当該チャンネルを受信可能なチャネルとして自動的に追加登録するチャンネル自動追加手段と、を備える放送受信装置において、ユーザからの指令を入力する入力手段と、前記入力手段から受信可能なチャンネルとしての登録を解除するように指令されたチャンネルについて登録を解除すると共に、当該チャンネルのチャンネル情報を、登録解除されたチャンネルの情報として記憶手段に記憶処理するチャンネル登録解除手段と、を備え、前記チャンネル自動追加手段は、前記記憶手段に記憶される前記チャンネル情報の中に前記未登録のチャンネルと同一のチャンネル情報がある場合には、前記未登録のチャンネルを受信可能なチャンネルとして登録しないことを特徴としている。
ここで、本発明におけるチャンネルは広い概念で使用されている。すなわち、本発明でいうチャンネルは、単に物理チャンネルを意味するだけではない。すなわち、例えばデジタル放送のように物理チャンネルに１又は複数のサブチャンネルが存在するものがある。このため、本発明のチャンネルは、このようなサブチャンネル等のチャンネルも含む広い概念で使用されている。
【００１０】
本発明の構成によれば、チャンネル自動追加手段は、ユーザによって登録解除されたチャンネルのチャンネル情報と、新たに検知した未登録のチャンネルのチャンネル情報とを比較した上で、当該未登録のチャンネルの自動追加登録を行うか否かを決定する構成となっている。このために、ユーザがチャンネル登録を解除したチャンネルが自動的に追加登録されることはなく、ユーザが従来感じていた不便さを解消できる。
【００１１】
上記構成の放送受信装置において、前記受信手段を用いて受信可能なチャンネルのサーチを実行するチャンネルサーチ手段が更に備えられ、前記チャンネルサーチの実行に伴って、前記チャンネル自動追加手段の処理が実行されるのが好ましい。このようにすれば、定期的に或いはユーザの好みのタイミングで、チャンネル自動追加機能を活用できる。そして、この場合でも、ユーザが既に登録解除したチャンネルが自動的に追加登録されることはないために、ユーザにとって快適な放送受信装置を提供することができる。
【００１２】
上記構成の放送受信装置において、前記チャンネルサーチ手段によるチャンネルサーチは、所定のタイミングで自動的に実行されることとしてもよい。これによれば、ユーザは受信可能なチャンネルが増えた場合に、特に操作を行うことなく、当該チャンネルについて、原則として自動的に追加できるので便利である。そして、この場合でも、ユーザが既に登録解除したチャンネルが自動的に追加登録されることはないために、ユーザにとって更に快適な放送受信装置を提供することができる。
【００１３】
上記構成の放送受信装置において、前記放送信号はデジタル放送信号であって、前記チャンネル情報は、チャンネル毎に放送局によって与えられる固有の識別情報であることとしてもよい。
【発明の効果】
【００１４】
本発明によれば、受信可能な未登録のチャンネルが検知された場合に、当該チャンネルを受信可能なチャネルとして自動的に追加登録する機能を有する放送受信装置において、ユーザが既に登録解除したチャンネルが自動的に追加登録されることはない。すなわち、本発明の放送受信装置は、ユーザの好みでないチャンネルの自動的な追加登録を避けられ、快適に使用できる。
【発明を実施するための最良の形態】
【００１５】
以下、本発明の放送受信装置の実施形態について、図面を参照しながら説明する。なお、以下では、本発明の放送受信装置の一例としてデジタル信号を受信するデジタル放送受信装置を挙げ、その実施形態について説明する。
【００１６】
図１は、本実施形態の放送受信装置の構成を示すブロック図である。図１に示すように、本実施形態の放送受信装置１は、チューナ部１１と、デコーダ１２と、映像・音声処理部１３と、入力部１４と、コントローラ１５と、を備える。
【００１７】
チューナ部１１は、チューナ、復調回路、誤り訂正回路、分離回路、デマルチプレクサ、バッファメモリ（いずれも図示せず）を備えている。アンテナ２を介して、チューナに放送局から発信される高周波の放送信号（ＲＦ信号）が入力される。チューナは、コントローラ１５により指定されたチャンネル（物理チャンネル）の放送信号を抽出し、復調回路に出力する。復調回路は、入力された放送信号を復調し、誤り訂正回路に出力する。誤り訂正回路は入力されたトランスポートストリーム（ＴＳ）の誤り情報を訂正する。分離回路は、誤り訂正回路から出力された信号からＴＳを分離して出力する。
【００１８】
ＴＳには通常複数のチャンネル（これはサブチャンネルと呼ばれることがあり、複数ではなく１つのチャンネルの場合もある）の番組が多重化されて送信されると共に、サブチャンネルのチャンネル情報が含まれる。デマルチプレクサは、これらのサブチャンネルのうちから、１つのチャンネルのパケットを抽出する。そして、抽出したパケットに格納されているデータをバッファメモリに記憶させると共に、チャンネルの情報をコントローラ１５に出力する。
【００１９】
デコーダ１２は、コントローラ１５からの指示又は許可を受けてから、チューナ部１１内のバッファメモリが記憶するデータを適宜読み出す。そして、映像データと音声データとを分離し、両データを伸長し、映像・音声処理部１３へと出力する。
【００２０】
映像・音声処理部１３は、デコーダ１２から入力された映像データ及び音声データに対して、Ｄ／Ａ変換等の各種処理を施して、映像信号及び音声信号を生成する。そして、映像信号を映像出力部３に出力すると共に、音声信号を音声出力部４に出力する。なお、映像出力部３は、例えばＬＣＤ（Liquid Crystal Display）、ＰＤＰ(Plasma Display Panel)等の表示画面を備えた表示装置から成る。また、音声出力部４は、例えばスピーカから成る。
【００２１】
入力部１４は、ユーザが放送受信装置１に対して指示を与えるために設けられる。具体的には、入力ボタン、リモートコントローラ、タッチパネル等で構成される。本実施形態では、入力部１４は放送受信装置に受信可能なチャンネルとして登録されるチャンネルの登録を解除するために使用できるようになっている。
【００２２】
コントローラ１５には、ＣＰＵ（Central Processing Unit）１５１と、ＲＯＭ（Read  On Memory）１５２と、ＲＡＭ（Random Access Memory）１５３と、メモリ部１５４と、が備えられている。
【００２３】
ＣＰＵ１５１は、各部に出力信号を出力することによって放送受信装置１の動作全般を統括制御する。本実施形態の放送受信装置１においては、ＣＰＵ１５１は、特に、チューナ部１１を用いて受信可能なチャンネルのサーチを実行するチャンネルサーチ手段、受信可能な未登録のチャンネルが検知された場合に、当該チャンネルを受信可能なチャネルとして自動的に追加登録するチャンネル自動追加手段、受信可能なチャンネルとしての登録を解除するように指令されたチャンネルについて登録を解除すると共に、当該チャンネルのチャンネル情報を登録解除されたチャンネルの情報として記憶手段に記憶処理するチャンネル登録解除手段、として機能する。この点については、後述する。
【００２４】
ＲＯＭ１５２は、ＣＰＵ１５１によって実行される各種のプログラムを格納している。ＲＡＭ１５３は、ＣＰＵ１５１によって各種プログラムが実行される際に生じる処理結果や、入力されたデータ等を記憶する。メモリ部１５４は、例えばＥＥＰＲＯＭ（Electrical Erasable ROM）やフラッシュメモリ等の不揮発メモリで構成される、チャンネルメモリ１５４１と消去チャネルメモリ１５４２とを備えている。チャンネルメモリ１５４１は、受信可能なチャンネルについて記憶（チャンネル登録）するメモリである。消去チャンネルメモリ１５４２の詳細については後述する。
【００２５】
本実施形態の放送受信装置１の概略構成は以上のようである。ところで、本実施形態の放送受信装置１は、チャンネルメモリ１５４１に未登録の受信可能なチャンネルを検知した場合に、そのチャンネルを受信可能なチャンネルとして、原則、自動的にチャンネル登録（チャンネルメモリ１５４１に自動追加）する構成となっている。そして、この新たに検知した未登録のチャンネルを自動的に追加登録する一連の動作について、本実施形態の放送受信装置は特徴を有する。以下、これについて説明する。
【００２６】
図２は、本実施形態の放送受信装置１が有する機能を説明するためのブロック図である。図２に示すように、ＣＰＵ１５１には、チャンネルサーチ部１５１１と、チャンネル自動追加部１５１２と、チャンネル登録解除部１５１３と、が備えられている。
【００２７】
チャンネルサーチ部１５１１は、チューナ部１１を利用してチャンネルサーチを実行する。チャンネルサーチ部１５１１は、チューナ部１１に指示して、受信周波数を１チャンネル（物理チャンネル）ずつ切り替えながら、各チャンネルが受信可能であるか否かを自動的に調べる。受信可能であるか否かの判断は、例えば、そのチャンネルの受信周波数に設定した時のＢＥＲ（Bit Error Rate）値を計測することで判断する。
【００２８】
また、チャンネルサーチ部１５１１は、受信可能なチャンネル（物理チャンネル）について、各物理チャンネルに含まれるサブチャンネルのチャンネル情報について収集する。ここで、チャンネルサーチ部１５１１が収集するチャンネル情報について、米国等において実施されているＡＴＳＣ（Advanced Television Systems Committee）方式のデジタル放送の場合を一例として説明する。
【００２９】
ＡＴＳＣ方式のデジタル放送においては、ＲＦ周波数（選局周波数）に対応する各物理チャンネルに１又は複数のサブチャンネルが存在し、各サブチャンネルには、物理チャンネルに対応する４桁のメイン（ｍａｊｏｒ）値のチャンネル番号と、サブ（ｍｉｎｏｒ）値のチャンネルの番号とで構成される仮想チャンネル（以下、Ｖ−ＣＨという）の番号が付与される。
【００３０】
また、ＡＴＳＣ方式のデジタル放送では、１パート（ＯＮＥ−ＰＡＲＴ）チャンネルと、２パート（ＴＷＯ−ＰＡＲＴ）チャンネルとが定義されている。１パートチャンネルは前記メイン値のチャンネル番号で指定される従来のアナログテレビ放送のチャンネルと同様のチャンネルであり、２パートチャンネルは前記メイン値のチャンネル番号と前記サブ値のチャンネル番号とで指定されるチャンネルである。そして、各サブチャンネルは、１パートチャンネルについてはサブ値を「０」として、それぞれ１パートチャンネル又は２パートチャンネルのＶ−ＣＨの番号が付与され、このＶ−ＣＨの番号で選局して受信復調できるようになっている。
【００３１】
ＡＴＳＣ方式においては、圧縮して符号化された１又は複数のサブチャンネルの映像、音声がトランスポートストリーム（ＴＳ）のデジタル信号として配信されるが、この際、ＴＳにより、映像、音声に加えて放送番組に関連する制御情報のデータも同時にパケット化されて送信される。そして、この制御情報には視聴制限、番組情報、文字放送の情報や前述のＶ−ＣＨの情報等を有するＰＳＩＰ（Program and System Information Protocol）が含まれる。すなわち、ＴＳに含まれるＰＳＩＰには各サブチャンネルに固有の識別情報が含まれている。チャンネルサーチ部１５１１が収集するチャンネル情報には、このＰＳＩＰから得られる情報が含まれ、各チャンネル固有の識別情報が収集されることになる。
【００３２】
チャンネル自動追加部１５１２は、チャンネルサーチ部１５１１によって検知された受信可能なチャンネル（ここでは物理チャンネルではなくサブチャンネルが該当する）について、既に受信可能なチャンネルとしてチャンネル登録されていない場合には、原則としてチャンネル登録する。具体的には、例えば、ＴＳのＰＳＩＰから得られる情報を解析してＶ−ＣＨに関するチャンネルテーブルを生成し、これをチャンネルメモリ１５４１に記憶するような処理を行う。
【００３３】
なお、上述のように、チャンネル自動追加部１５１２によるチャンネルの追加登録は原則として行われるのであって、チャンネル登録されていない受信可能なチャンネルを見つけても追加登録が行われない場合がある。この点については後述する。
【００３４】
また、チャンネルサーチ部１５１１によるチャンネルサーチが初めての場合には、その段階では受信可能なチャンネルについてチャンネル登録が行われていない。このため、初回のチャンネルサーチが実行された場合は、検知された受信可能なチャンネルが全てチャンネル登録されることになる。
【００３５】
チャンネル登録解除部１５１３は、入力部１４を用いてユーザが既にチャンネル登録されているチャンネルについてチャンネル登録を解除するように指令した場合に、チャンネル登録を解除する機能を有する。具体的には、チャンネル登録解除部１５１３は、チャンネル登録の解除指令を受けると、チャンネルメモリ１５４１に記憶される登録情報を消去する。
【００３６】
また、チャンネル登録解除部１５１３は、チャンネル登録の消去を行う前に、消去するチャンネルの情報を消去チャンネルメモリ１５４２に記憶しておく。この消去チャンネルメモリ１５４２に記憶される情報にはチャンネル固有の情報（例えば、ＰＳＩＰに含まれるチャンネル固有の識別情報）が含まれる。
【００３７】
チャンネル自動追加部１５１２が、チャンネル登録されていない受信可能なチャンネルを見つけても追加登録を行わない場合がある点について前述した。これについて説明する。チャンネル自動追加部１５１２は、チャンネル登録されていない受信可能なチャンネルを検知した場合、消去チャンネルメモリ１５４２が有する情報を確認する。具体的には、消去チャンネルメモリ１５４２の中に、新たに検知した受信可能なチャンネルのチャンネル情報と同一のチャンネル情報があるか否かを確認する。ここで言うチャンネル情報は、放送局によって与えられるチャンネル固有の識別情報で、例えばＰＳＩＰに含まれるＶ−ＣＨの情報等が該当する。そして、同一の情報がない場合には、チャンネル登録を行うように処理し、同一の情報がある場合には、チャンネル登録を行わない。すなわち、自動的に追加登録しない。
【００３８】
次に、図３に示すフローチャートを参照しながら、本実施形態の放送受信装置１において、受信可能な未登録のチャンネルが検知された場合に、当該チャンネルを受信可能なチャネルとして自動的に追加登録する一連の流れについて説明する。なお、ここでは、チャネルサーチが初回ではないものとして説明する。
【００３９】
本実施形態の放送受信装置１においては、チャンネルサーチが所定の時刻になると自動的に行われるようになっている。なお、これは一例であり、例えば入力部１４からの指令によってチャンネルサーチが開始される構成等でも構わない。
【００４０】
所定の時刻になると、放送受信装置１は自動的にパワーＯＮし、チャンネルサーチ部１５１１によってチャンネルサーチが開始される（ステップＳ１０１）。チャンネルサーチ部１５１１は、チャンネルサーチの結果、受信可能な物理チャンネルを発見すると、受信可能な物理チャンネルについてサブチャンネルのチャンネル情報を収集する。そして、受信可能なチャンネル（サブチャンネル）のチャンネル情報を例えば、ＲＡＭ１５３に一旦記憶する。
【００４１】
次に、チャンネル自動追加部１５１２は、チャンネルサーチ部１５１１によって検知された受信可能なチャネルについて、既にチャンネルメモリ１５４１に記憶されているか否かを確認する。換言すると、チャンネル登録されていないチャンネルを発見したか否か確認する（ステップＳ１０２）。これは、ＲＡＭ１５３に記憶されたチャンネル情報とチャンネルメモリ１５４１に記憶されるチャンネル情報とを比較することにより行う。
【００４２】
チャンネル登録されていないチャンネルが発見されない場合（ステップＳ１０２否定）、チャンネル登録を自動追加する対象がないために作業を終了する（パワーオフされる）。一方、チャンネル登録されていないチャンネルを発見した場合（ステップＳ１０２肯定）には、チャンネル自動追加部１５１２は、当該チャンネルが、ユーザによって登録が解除されたチャンネルであるか否かを確認する（ステップＳ１０３）。具体的には、消去チャンネルメモリ１５４２に記憶されるチャンネル情報を参照して、ユーザによって登録が解除されたチャンネルであるか否かを確認する。
【００４３】
当該チャンネルが、ユーザによって登録が解除されたチャンネルでない場合（ステップＳ１０３否定）には、当該チャンネルは追加登録すべきチャンネルであると判断され、自動的にチャンネル登録される（ステップＳ１０４）。その後、放送受信装置１のパワーがオフされる。
【００４４】
一方、当該チャンネルが、ユーザによって登録が解除されたチャンネルの場合（ステップＳ１０３肯定）には、当該チャンネルは自動的に追加登録すべきチャンネルでないために、自動追加されることなく作業が終了する（パワーオフされる）。
【００４５】
以上のように、本実施形態の放送受信装置１によれば、原則として、受信可能なチャンネルが増えた場合に、当該チャンネルが自動的に追加登録される。このために、放送局の増設等に適切に対応できる。一方で、ユーザが先に登録を解除したチャンネルが自動的に再度チャンネル登録されることがない。このため、ユーザが従来感じていた不便さを解消できる。
【００４６】
なお、以上に示した実施形態は本発明の一例であり、本発明は、以上に示した実施形態に限定される趣旨ではない。すなわち、本発明の目的を逸脱しない範囲で種々の変更が可能である。
【００４７】
例えば、以上に示した実施形態においては、チャンネルサーチによって、受信可能な未登録のチャンネルを発見した場合に、原則として自動的にチャンネルが追加登録される構成とした。しかし、例えばデジタル放送の場合、サブチャンネルの数が変更された場合、ＴＳに含まれる情報の解析でチャンネル情報を得ることができる。このために、チャンネルサーチをしなくてもサブチャンネルが増設されたことを検知できる。したがって、放送受信装置の構成として、チャンネルサーチを行わなくとも、検知されたチャンネルを自動的にチャンネル登録する構成とできる。そして、このような構成で自動的にチャンネル登録を行う放送受信装置についても、ユーザが既に登録解除したチャンネルが自動的に追加登録されることはないという本発明の構成を適用できる。
【００４８】
また、以上に示した実施形態においてはデジタル放送の場合を示した。しかし、本発明はアナログ放送に対しても当然適用できる。この場合、消去したチャンネルであるかどうかの判断は、例えば選局周波数や物理チャンネルのチャンネル番号といったチャンネル情報を用いれば良い。
【００４９】
また、以上に示した実施形態の放送受信装置１に対して、チャンネルサーチの結果、先にチャンネル登録していたチャンネルが受信できない場合に、そのチャンネルを自動的に削除する機能を追加しても勿論構わない。この場合でも、以上に述べた効果を得ることができる。
【産業上の利用可能性】
【００５０】
本発明は、受信可能な未登録のチャンネルが検知された場合に、当該チャンネルを受信可能なチャネルとして自動的に追加登録する機能を有する放送受信装置に対して好適に適用できる。
【図面の簡単な説明】
【００５１】
【図１】は、本実施形態の放送受信装置の構成を示すブロック図である。
【図２】は、本実施形態の放送受信装置が有する機能を説明するためのブロック図である。
【図３】は、本実施形態の放送受信装置において、受信可能な未登録のチャンネルが検知された場合の処理を示すフローチャートである。
【符号の説明】
【００５２】
１  放送受信装置
１１  チューナ部（受信手段）
１４  入力部（入力手段）
１５１  ＣＰＵ（チャンネルサーチ手段、チャンネル自動追加手段、チャンネル登録解除手段）
１５１１  チャンネルサーチ部
１５１２  チャンネル自動追加部
１５１３  チャンネル登録解除部
１５４２  消去チャンネルメモリ（記憶手段）
【図１】
2010062884.tif 000003
【図２】
2010062884.tif 000004
【図３】
2010062884.tif 000005